(57)【要約】      （修正有）【課題】スタンプ押印時に、一のスタンプ本体から複数の異なる音声を出力することができるスタンプ装置を提供する。【解決手段】一側にスタンプ２を着脱可能に装着できるようにした本体１と、複数のスタンプ２とを組み合わせてなり、前記本体１内部にはスタンプ２を押印したときの圧力で作動するプッシュスイッチ５とリードスイッチ６並びにプッシュスイッチ５の作動により音声を出力する音声出力部９を設け、前記複数のスタンプ２の一部に前記リードスイッチ６のＯＮ／ＯＦＦを切り替える磁石４を装着し、前記リードスイッチ６のＯＮ時とＯＦＦ時とでそれぞれ異なる音声が出力されるように構成する。【選択図】図２
2007118517.tif 000002
【特許請求の範囲】
【請求項１】
一側にスタンプを着脱可能に装着できるようにした本体と、複数のスタンプとを組み合わせてなり、前記本体内部にはスタンプを押印したときの圧力で作動するプッシュスイッチとリードスイッチ並びにスイッチの作動により音声を出力する音声出力部を設け、前記複数のスタンプの一部に前記リードスイッチのＯＮ／ＯＦＦを切り替える磁石を装着し、前記リードスイッチのON時とOFF時とでそれぞれ異なる音声が出力されるものとしたスタンプ装置
【発明の詳細な説明】
【技術分野】
【０００１】
この発明は、音声出力機構を有するスタンプ装置に関するものである。
【背景技術】
【０００２】
従来のスタンプは、文字や図柄等を彫り込んで形成した印字面にインク等を付着あるいは浸透させた上で印字面を紙等の転写物に押し当て、印字面に刻まれた文字や図柄等の印影を紙等の転写物に転写することを主目的としている。
【０００３】
近年では、かかるスタンプに音声出力機構を付加し、押印時に何らかの音声を出力することができるスタンプも提案されている。例えば、以下のような先行技術がある。
【０００４】
【特許文献１】実開平5-70965号公報
【０００５】
この特許文献の発明は、スタンプ本体の内部に音声装置とスピーカー及びプッシュスイッチを設けた構成とし、スタンプを押印するとスタンプが本体側に押されてプッシュスイッチが押され、音声装置が作動してスピーカーから音声が出力される構成となっている。
【０００６】
この発明において、音声装置として電子式音声装置、オルゴール等が挙げられているが、一のスタンプ本体に組み込むことができる音声は１種類に限られ、一のスタンプ本体から異なる音声を出力することができず、スタンプ押印時に出力される音声は常に同じ音声である。すなわち、この特許文献の発明は、出力音声とスタンプ本体とが１対１の関係にある。スタンプ押印時に異なる音声を出力したい場合には、異なる音声パターンを出力できる音声出力装置を備えた新たなスタンプを別途用意しなければならず、極めて不便かつ不経済である。
【発明の開示】
【発明が解決しようとする課題】
【０００７】
この発明は、スタンプ押印時に、一のスタンプ本体から複数の異なる音声を出力することができるスタンプ装置を得ることを課題とするものである。
【課題を解決するための手段】
【０００８】
この発明は、一側にスタンプを着脱可能に装着できるようにした本体と、複数のスタンプとを組み合わせてなり、前記本体内部にはスタンプを押印したときの圧力で作動するプッシュスイッチとリードスイッチ並びにスイッチの作動により音声を出力する音声出力部を設け、前記複数のスタンプの一部に前記リードスイッチのON／ＯＦＦを切り替える磁石を装着し、前記リードスイッチのON時とOFF時とでそれぞれ異なる音声が出力されるようにスタンプ装置を構成する。
【０００９】
この発明においてスタンプとは、印字面に文字や図柄を彫り込み、この印字面にインク等を付着又は浸透させ、この印字面を紙等の転写物に押し当てることによって印字面に刻まれた文字や図柄の印影を転写物に残すことができるものであればよい。スタンプ本体の形状は筒状であることが好ましいが、本体内部にプッシュスイッチ、リードスイッチ、音声出力部を格納できれば、その形状はこれに限られるものではない。
【００１０】
本体に着脱可能なスタンプは、本体装着時に露出する面を印字面とするだけでなく、これと対向する面（本体装着側の面）も印字面とすることもできる。この場合、それぞれの印字面の文字、図柄等は同じものとしてもよいし、異なるものとしてもよい。
前記着脱可能なスタンプは、一側のみを本体に装着可能な形状としてもよいが、両側ともに本体に装着可能な形状とすることもできる。
また、本体に着脱可能なスタンプは複数用意して、適宜交換して使用できるようにする。各スタンプの印字面の文字、図柄等は同じものとしてもよいし、異なるものとしてもよい。前記着脱可能なスタンプは、内部に磁石を備えたスタンプと、磁石を備えないスタンプとをそれぞれ用意する。
【００１１】
プッシュスイッチは音声出力部を作動させるためのスイッチであって、スタンプ押印時に本体側にかかる圧力によってスイッチがONとなるものであればよく、押圧によって凸部が機械的に押されてONとなる所謂押しボタン式スイッチや、一定以上の圧力を感知した場合にONとなるような圧力センサースイッチなどが考えられる。
【００１２】
リードスイッチは、音声出力部から出力される音声のパターンを切り換えるためのスイッチであって、磁気に反応してONとなるもの又はＯＦＦとなるものである。リードスイッチのON／OFF切替感度は、磁石からの距離や磁石の磁気の強さを変えて調整することもできる。リードスイッチのON／OFFにより回路が切り替わり、音声出力部から出力される音声は、リードスイッチON時にプッシュスイッチがONになったときと、リードスイッチOFF時にプッシュスイッチがONになったときとでは、異なるパターンの音声が出力されるようにする。
【００１３】
スタンプ内部に装着される磁石の位置は、前記スタンプ内部の本体装着側近傍に設けることが好ましいが、スタンプの押印機能を害さずにリードスイッチのON／ＯＦＦ切替ができる範囲内であればスタンプ内のどこでもよい。
【発明の効果】
【００１４】
この発明によれば、リードスイッチのON／OFFを切り換えることで一つの本体から異なるパターンの音声を出力することができるので、異なる音声を出力できる音声出力部を備えたスタンプを別途製作する必要がなく、極めて簡易かつ経済的である。
【発明を実施するための最良の形態】
【００１５】
円筒状の本体１と二つのスタンプ２，２Ａ（以下まとめて「スタンプ２」と記載する場合がある。）を組み合わせてスタンプ装置を構成している。
前記円筒状の本体１の基端部にスタンプの装着口１ａが設けてある。
前記装着口の底部にはプッシュスイッチ５が、プッシュスイッチ５の近傍にはリードスイッチ６が設けられ、プッシュスイッチ５とリードスイッチ６はサブ基板７に接続されている。スタンプ２と本体１との間には図示しない弾性部材が介在しており（この弾性部材は本体１，スタンプ２の何れに設けてもよい）、スタンプ２を押印するとスタンプ２はこの弾性部材の許容範囲内において本体１の内側に押し込まれ、プッシュスイッチ５に圧力が加わる。プッシュスイッチ５に一定以上の圧力が加わるとプッシュスイッチ５がON状態になり、このON信号がサブ基板７からメイン基板８に伝わって音声信号が出力され、スピーカー９で聴取可能な音声に変換されて出力される。
【００１６】
メイン基板８は音声記憶部を備えており、この音声記憶部には２パターンの異なる音声情報が記憶されている。一方の音声情報は、リードスイッチON状態においてプッシュスイッチがONとなったときに出力され、他方の音声情報はリードスイッチOFF状態においてプッシュスイッチがONとなったときに出力されるように、回路が構成してある。
すなわち、内部に磁石４を備えたスタンプ２が本体１に装着されると、リードスイッチ６が磁石４の磁気に反応してON状態となる。このときスタンプ２が押印されてプッシュスイッチ５に圧力が加わるとプッシュスイッチ５がON状態となり、音声記憶部に記憶された２パターンの音声情報中リードスイッチON時に出力されるべき音声情報が出力される。一方、内部に磁石を備えないスタンプ２Ａが本体１に装着されると、リードスイッチ６はOFF状態となる。この状態でスタンプ２を押印してプッシュスイッチ５がON状態になると、音声記憶部に記憶された２パターンの音声情報中リードスイッチOFF時に出力されるべき音声情報が出力される。
【００１７】
前記本体１の先端側にはブラックライト（紫色ＬＥＤ）１１が取り付けてあり、その周囲にカバー１２がスライド自在に取り付けてある。図中符号１３はブラックライトのスイッチ、１４はブラックライト点灯回数を表示するカウンター表示部である。
このブラックライト１１は、ブラックライト対応インクで解答が印刷された問題集と併せて使用するものであり、学習者はブラックライト１１を点灯せずに問題を解き、解答を確認するときにブラックライトを点灯して自己の解答とブラックライトにより視認可能となる正解とを照合する。
ブラックライト１１の点灯回数はメイン基板８に記録されて前記カウンター表示部１４に表示される。
【００１８】
前記メイン基板８のカウンタからは、ブラックライトの点灯回数が所定回数に達したときに音声情報の出力を許容する信号を音声情報の出力回路に出力するようにしてある。カウント数は任意の回数に設定することができる。例えば、ブラックライトが３回ONになったときに音声が出力されるようにカウンタを設定した場合には、ブラックライトを３回点灯させた後にスタンプを押すと音声が出力され、３回未満であればスタンプを押しても音声は出力されない。
上記構成により、学習せずにスタンプの音声出力のみを楽しむ弊害を防止することができる。
【００１９】
スタンプ２は、その本体１への装着側にリードスイッチを作動させる磁石４が装着してあり、もう一つのスタンプ２Ａには磁石は装着されていない。
各スタンプ２には、スタンプ２を誤印や印字面の乾燥を防ぐためにキャップ３を被せてある。スタンプ２のキャップ側は表側印字面２１、これと対向する側は裏側印字面２２となっている。表側印字面２１と裏側印字面２２のデザイン（文字や図柄）はそれぞれ異なるパターンとしても、同じパターンとすることももちろん可能である。
図２は本体１から分離した状態のスタンプ２を示す図である。スタンプ２はキャップ３と共に本体から分離することができ、キャップ３と共に分離した状態で裏側印字面２２を印字面として押印することができる。スタンプ２はキャップ３を外した状態（スタンプ２単体）でも本体１から分離して使用できるが、キャップと共に分離して使用すれば使用者は手を汚さずにスタンプ２の分離作業及び押印ができる。
【００２０】
図４はスタンプの別の実施例を示す図である。スタンプ２は表側印字面２１、裏側印字面２２の何れの側についても本体１に装着可能な形状とし、任意に印字面を変えて付け替えることができる。スタンプ２を逆様にして本体１に付け替え可能としたので、スタンプ２のどちらの印字面で押印した場合にも、プッシュスイッチ５に圧力を加えてプッシュスイッチ５をONにすることができ、本体１から音声を出力することができる。
そして、スタンプ内に装着された磁石４の装着位置はスタンプ２の一側の印字面側に偏らせてある。磁石４が装着された側の印字面が本体１に装着された場合にリードスイッチ６がONになるとともに、磁石４が装着された側とは反対側の印字面が本体１に装着された場合にリードスイッチ６がOFFになるように磁石４の磁気及びリードスイッチ６の感度がそれぞれ調整されており、一のスタンプ２の表側印字面２１と裏側印字面２２とを本体１に付け替えて使用することで、それぞれの印字面に応じた異なるパターンの音声を出力することができる。
【産業上の利用可能性】
【００２１】
この発明は、音声出力機構を備えたスタンプ装置に関するものであり、教材、玩具、文具、事務用品として産業上の利用可能性を有するものである。
【図面の簡単な説明】
【００２２】
【図１】この発明の実施例の斜視図
【図２】同じく背面図
【図３】スタンプの斜視図
【図４】別の態様のスタンプを示す図
【符号の説明】
【００２３】
１    本体
１ａ  装着口
２、２Ａ    スタンプ
２１  表側印字面
２２  裏側印字面
３    キャップ
４    磁石
５    プッシュスイッチ
６    リードスイッチ
７    サブ基板
８    メイン基板
９    スピーカー
１１  ブラックライト
【図１】
2007118517.tif 000003
【図２】
2007118517.tif 000004
【図３】
2007118517.tif 000005
【図４】
2007118517.tif 000006
【手続補正書】
【提出日】平成17年11月2日(2005.11.2)
【手続補正１】
【補正対象書類名】図面
【補正対象項目名】図１
【補正方法】変更
【補正の内容】
【図１】
2007118517.tif 000007
【手続補正２】
【補正対象書類名】図面
【補正対象項目名】図２
【補正方法】変更
【補正の内容】
【図２】
2007118517.tif 000008
【手続補正３】
【補正対象書類名】図面
【補正対象項目名】図３
【補正方法】変更
【補正の内容】
【図３】
2007118517.tif 000009
【手続補正４】
【補正対象書類名】図面
【補正対象項目名】図４
【補正方法】変更
【補正の内容】
【図４】
2007118517.tif 000010